(57)【要約】信号処理方法は、チャネル周波数に同調し、次いで選択したチャネル周波数上の、情報を搬送するＲＦ信号によって搬送される情報の品質を第１の動作モードの下で測定するステップと、減衰器および／または増幅器を動作可能にし、次いでＲＦ信号によって搬送される情報の品質を第２の動作モードの下で測定するステップと、第１の動作モードおよび第２の動作モードの下でＲＦ信号によって搬送される情報の品質を比較することによって最適な受信条件を決定するステップとを含む。
2004510379.tif 000002
【特許請求の範囲】
【請求項１】
チャネル周波数に同調し、同調したチャネル周波数上の、情報を搬送するＲＦ信号によって搬送される情報の品質を第１の動作モードの下で測定するステップと、
減衰器（１１２）を動作可能にし、前記ＲＦ信号によって搬送される情報の品質を第２の動作モードの下で測定するステップと、
前記第１の動作モード下で前記ＲＦ信号によって搬送される前記情報の品質と前記第２の動作モードの下で前記ＲＦ信号によって搬送される前記情報の品質とを比較することによって最適な受信条件を決定するステップと
を含むことを特徴とする信号処理方法。
【請求項２】
前記決定するステップで得られた前記最適な動作モードを示す情報を、メモリ（５５）上に格納するステップをさらに備えたことを特徴とする請求項１に記載の方法。
【請求項３】
前記情報の品質は、ＳＮ比（Ｓ／Ｎ）、自動色制御（ＡＣＣ）レベル、画像音声比（Ｐ／Ｓ）、等化器（ＥＱ）タップ、およびビットエラー率（ＢＥＲ）のうち１つを示すパラメータによって指示されることを特徴とする請求項１に記載の方法。
【請求項４】
前記情報の品質は、ＳＮ比（Ｓ／Ｎ）、自動利得制御（ＡＧＣ）レベル、自動色制御（ＡＣＣ）レベル、画像音声比（Ｐ／Ｓ）、等化器（ＥＱ）タップ、およびビットエラー率（ＢＥＲ）のうち少なくとも２つを示すパラメータによって指示されることを特徴とする請求項１に記載の方法。
【請求項５】
チャネル周波数に同調し、同調したチャネル周波数上の、情報を搬送するＲＦ信号によって搬送される情報の品質を第１の動作モードの下で測定するステップと、
減衰器（１１２）を動作可能にし、前記ＲＦ信号によって搬送される情報の品質を第２の動作モードの下で測定するステップと、
増幅器（１１６）を動作可能にし、前記ＲＦ信号によって搬送される情報の品質を第３の動作モードの下で測定するステップと、
前記減衰器（１１２）および前記増幅器（１１６）の双方を同時に動作可能にし、前記ＲＦ信号によって搬送される情報の品質を第４の動作モードの下で測定するステップと、
前記第１、第２、第３、および第４の動作モードの下で前記ＲＦ信号によって搬送されるそれぞれの前記情報の品質を比較することによって最適な受信条件を決定するステップと
を含むことを特徴とする信号処理方法。
【請求項６】
前記決定するステップで得られた前記最適な動作モードを示す情報を、メモリ（５５）上に格納するステップをさらに含むことを特徴とする請求項５に記載の方法。
【請求項７】
前記情報の品質は、ＳＮ比（Ｓ／Ｎ）、自動色制御（ＡＣＣ）レベル、画像音声比（Ｐ／Ｓ）、等化器（ＥＱ）タップ、およびビットエラー率（ＢＥＲ）のうち１つを示すパラメータによって指示されることを特徴とする請求項５に記載の方法。
【請求項８】
前記情報の品質は、ＳＮ比（Ｓ／Ｎ）、自動利得制御（ＡＧＣ）レベル、自動色制御（ＡＣＣ）レベル、画像音声比（Ｐ／Ｓ）、等化器（ＥＱ）タップ、およびビットエラー率（ＢＥＲ）のうち少なくとも２つを示すパラメータによって指示されることを特徴とする請求項５に記載の方法。
【発明の詳細な説明】
【０００１】
本発明は、テレビジョン信号受信機などの無線周波数（ＲＦ）信号受信システムに適した、ＲＦ信号のレベルを最適化するＲＦ信号処理装置（ｓｉｇｎａｌ ｐｒｏｃｅｓｓｉｎｇ ａｒｒａｎｇｅｍｅｎｔ）および方法に関する。
【０００２】
テレビジョン信号受信機は、ユーザが常に良好な品質の画像および音声を楽しむことができるように、放送テレビジョン帯全体にわたって適切な信号強度を有するテレビジョン信号を受信することが望ましい。しかし、特定の地理的位置で受信される個々のテレビジョンチャネルの信号強度は、主に各放送局とユーザの受信位置との間の地理的距離に差があるため、しばしば地理的位置によって変動する。望ましくない信号特性を有する（例えば、信号が弱すぎ、または強すぎて電波障害が存在する）テレビジョンチャネルに受信機が同調するとき、このような条件によって、いくつかの問題を引き起こす可能性があるが、これらにはＳＮ比（Ｓ／Ｎ）が劣化するため画像中に不快なノイズが生じることや、アナログ受信用の隣接する周波数信号からの干渉によって混変調（ｃｒｏｓｓ ｍｏｄｕｌａｔｉｏｎ）が引き起こされることが含まれる。さらに、これらの問題はデジタル放送信号を受信する場合、信号の品質が特定のしきい値未満に低下したとき受信が完全に失われるので特に有害である。
【０００３】
弱い信号の問題を解決する従来の方法は、受け取ったテレビジョン信号の強度を表す自動利得制御（ＡＧＣ）信号に応答して、アンテナと同調器との間に、低雑音指数のために最適化された増幅器を選択的に追加することである。例えば、Ｂａｅ（バエ）等により出願され、Ｓａｍｓｕｎｇ Ｅｌｅｃｔｒｏｎｉｃｓ（サムサング　エレクトロニクス） Ｃｏ．， Ｌｔｄ．に譲渡され、１９９７年６月１０日に発行された、米国特許第５６３８１４１号「ＢＲＯＡＤＣＡＳＴ ＳＩＧＮＡＬ ＲＥＣＥＩＶＥＲ ＨＡＶＩＮＧ Ａ ＬＯＷ−ＮＯＩＳＥ ＡＭＰＬＩＦＩＥＲ ＩＮＳＥＲＴＥＤ ＢＥＦＯＲＥ Ａ ＴＵＮＥＲ」（同調器の前段に挿入された低雑音増幅器を有する放送信号受信機）は、この種の解決策を開示している。しかし、この従来の解決策は、ＡＧＣ信号がテレビジョン信号の品質（すなわち画像品質および／または音声品質）を表さず、単に受信しているテレビジョン信号の量（すなわち信号強度）を表すだけなので、上述の問題に対しては好ましい解決策ではない。さらに、ＡＧＣ信号は、隣接するチャネル周波数上の信号強度を反映していないが、これによって干渉の問題を引き起こす可能性がある。したがって、テレビジョン信号の品質に応答し、および／または同調した周波数での信号強度だけでなく隣接する周波数の信号強度にも応答して、各テレビジョンチャネルにおいて、入力テレビジョン信号のレベルを最適化するＲＦ信号処理回路が求められている。
【０００４】
本発明の態様によれば、信号処理方法は、チャネル周波数に同調し、次いで同調したチャネル周波数上の、情報を搬送するＲＦ信号によって搬送される情報の品質を第１の動作モードの下で測定するステップと、減衰器を動作可能にし、次いでＲＦ信号によって搬送される情報の品質を第２の動作モードの下で測定するステップと、第１の動作モードと第２の動作モードとの下でＲＦ信号によって搬送されるそれぞれの情報の品質を比較することによって最適な受信条件を決定するステップとを備える。
【０００５】
本発明の別の態様によれば、信号処理方法は、チャネル周波数に同調し、次いで同調したチャネル周波数上の、情報を搬送するＲＦ信号によって搬送される情報の品質を第１の動作モードの下で測定するステップと、減衰器を動作可能にし、次いでＲＦ信号によって搬送される情報の品質を第２の動作モードの下で測定するステップと、増幅器を動作可能にし、次いでＲＦ信号によって搬送される情報の品質を第３の動作モードの下で測定するステップと、減衰器と増幅器の両方を同時に動作可能にし、次いでＲＦ信号によって搬送される情報の品質を第４の動作モードの下で測定するステップと、第１、第２、第３、および第４の動作モードの下でＲＦ信号によって搬送されるそれぞれの情報の品質を比較することによって最適な受信条件を決定するステップとを備える。
【０００６】
添付の図面を参照して、本発明の上記の態様およびその他の態様を詳細に説明する。
【０００７】
本明細書で記載される例示は、本発明の好ましい実施形態を示す。このような例示は、本発明の範囲を全く制限するものではないと解釈すべきである。種々の図面において、同様の要素を識別するのに同様の符号を使用する。
【０００８】
本願は、アナログおよび／またはデジタルテレビジョン信号などの、情報を搬送するＲＦ信号を供給するアンテナなどの信号源と、信号出力点と、制御部とを備える第１の信号処理装置を開示するが、ここで、制御部は、減衰器および／または低雑音指数増幅器などの増幅器、および関連するＲＦスイッチを含み、ＲＦ信号によって搬送される情報の品質に応答して情報を搬送するＲＦ信号の大きさを制御するために、信号源と信号出力点の間に結合される。この信号処理装置は、上記制御部に結合され前記ＲＦ信号によって搬送される情報品質を判定する、復調器などの判定部をさらに備えることができる。以下の詳細な説明に例示される実施形態によれば、情報のこのような品質は、アナログテレビジョン信号の受信に関する自動カラー制御（ＡＣＣ）レベル、画像音声比（Ｐ／Ｓ）、デジタルテレビジョン信号の受信に関するＳＮ比（Ｓ／Ｎ）、等化器（イコライザ）タップ、およびビットエラー率（ＢＥＲ）を含むいくつかの信号パラメータによって示される。上記の装置によって実施される方法も本明細書で開示される。
【０００９】
さらに、本願は、アナログおよび／またはデジタルテレビジョン信号などのＲＦ信号を供給するアンテナなどの信号源と、信号出力点と、第１の制御部とを備える第２の信号処理装置を開示するが、ここで、第１の制御部は、関連する減衰器およびＲＦスイッチを含み、同調したチャネル周波数上のＲＦ信号の大きさに応答し、および同調したチャネル周波数に隣接または近接するチャネルを含む同調したチャネル近傍のＲＦ信号の大きさに応答してＲＦ信号の大きさを制御するために、信号源と信号出力点の間に結合する。この信号処理装置はメモリと第２の制御部とをさらに備えることができ、メモリには、同調するチャネル、および同調するチャネルの近傍のチャネルに関するＲＦ信号の大きさを含む周波数帯にわたり、受信可能な信号すべてについてのＲＦ信号の大きさに関するチャネル情報が格納される。また、第２の制御部は第１の制御部に結合し、上記メモリに格納されたチャネル情報に応答して第１の制御部を制御するマイクロプロセッサを含む。この装置で実施される方法もまた、本明細書で開示される。
【００１０】
次に、図面、より具体的には図１および２を参照すると、ブロック図１００および２００は、アナログ／デジタルカラーテレビジョン信号受信機に関連して、それぞれブースト／減衰器回路１１０および２１０の２つの実施形態を例示的に示す。前述の第１の信号処理装置および第２の信号処理装置、ならびに各装置によって実施される方法は、図１および２に示す実装のそれぞれに等しく適用可能である。
【００１１】
図１に、アナログ／デジタルテレビジョン信号受信機に関連して、例示的な実施形態であるブースト／減衰器回路１１０を開示する。放送されない（ｏｆｆ−ｔｈｅ−ａｉｒ）デジタル信号および／またはアナログテレビジョン信号は、アンテナ（図示せず）で受信され、次いで同軸ケーブルなどのＲＦ信号伝送線路（図示せず）を介してＵ／Ｖスプリッタ２０のＲＦ入力点２２に印加される。Ｕ／Ｖスプリッタ２０は、周波数領域でＶＨＦテレビジョン信号からＵＨＦテレビジョン信号を分離し、ブースト／減衰器回路１１０の一部である減衰器スイッチ１１８にＵＨＦテレビジョン信号を供給する。図１は、ＵＨＦ信号処理経路中に実装されたブースト／減衰器回路１１０を示すが、同様にしてＶＨＦ信号処理経路中に実装することもできる。
【００１２】
減衰器スイッチ１１８は、マイクロプロセッサ５０によって生成され、Ｉ２Ｃバスを介して送られるＰＬＬ　ＩＣ　３０からの減衰器制御信号に応答して、減衰器１１２（例えば３ｄＢ抵抗型ＲＦ減衰器）またはブーストスイッチ１１１のどちらかにＵＨＦテレビジョン信号を供給する。ブーストスイッチ１１１は、減衰器スイッチ１１８からＵＨＦ信号を受信し、マイクロプロセッサ５０および送信機によってＩ２Ｃバスを介して生成されるＰＬＬ　ＩＣ　３０からのブースト制御信号に応答して、ＵＨＦ信号をブースト／減衰器回路１１０のチューナブル単同調（ＳＴ）フィルタ１１４、または通常はテレビジョン信号受信機のテレビジョン同調器内のＲＦ回路の入力に位置するチューナブル単同調（ＳＴ）フィルタ１２２のいずれかに供給する。
【００１３】
ブースト／減衰器回路１１０のチューナブル単同調（ＳＴ）フィルタ１１４は、混変調干渉を引き起こす可能性がある望ましくない信号を減衰する。フィルタ１１４は、典型的な標準同調器入力フィルタ１２２よりも広い帯域幅を用いて設計される。このような設計により、損失が減少し、それによって増幅器１１６の雑音指数性能が著しく劣化せず、同時に干渉からのある程度の保護を実現する。フィルタに対する同調信号ＳＴが、Ｉ２Ｃバスを介してマイクロプロセッサ５０によって制御されるデジタル−アナログ変換器（ＤＡＣ）ＩＣ　４０によって生成される。チューナブル単同調（ＳＴ）フィルタ１１４はまた、ＲＦ入力点２０と低雑音増幅器１１６との間のチューナブルインピーダンス整合ネットワークとして動作し、所与の周波数（例えば受信周波数）でアンテナと低雑音増幅器１１６との間のより良好なインピーダンス整合を実現する。より良好なインピーダンス整合により、アンテナと低雑音増幅器１１６との間の電圧定在波比（ＶＳＷＲ）が向上し、望ましくない信号損失とインパルス応答が減少する。低雑音増幅器１１６は、マイクロプロセッサ５０によって生成され、Ｉ２Ｃバスを介して送信されるＰＬＬ　ＩＣ　３０からのブースト制御信号によってアクティブにされる。図１の低雑音増幅器１１６として固定利得増幅器を使用するが、適切な利得制御回路を備える利得制御増幅器も使用することができる。ブーストスイッチ１１１の出力信号は、チューナブル単同調フィルタ１２２に印加される。
【００１４】
ＵＨＦ同調器回路１２０は、チューナブル単同調フィルタ１２２、利得制御ＲＦ増幅器１２４、チューナブル複同調（ＤＴ）フィルタ１２６、ミキサ１４２、ＵＨＦローカル発振器１４６、および複同調（ＤＴ）ＩＦフィルタ１５２を含む。利得制御ＲＦ増幅器１２４の利得は、アナログビデオ／音声処理回路６０（アナログ信号受信の場合）、またはパワー検波器１７９（デジタル信号受信の場合）のいずれかによって生成されたＲＦ　ＡＧＣ信号に応答して制御される。ＵＨＦ同調器回路１２０は、ＵＨＦテレビジョン信号をＩＦテレビジョン信号に変換し、通常はテレビジョン信号受信機の同調器モジュール内に配置される。
【００１５】
次いで、複同調ＩＦフィルタ１５２から出てくるＩＦ信号が、ＩＦ増幅器１５４、ＳＡＷフィルタ１５６、および利得制御ＩＦ増幅器１５８を含むＩＦ信号処理回路１５０内で処理される。利得制御ＩＦ増幅器１５８の利得は、アナログビデオ／音声処理回路６０（アナログ信号受信の場合）、またはパワー検波器１７９（デジタル信号受信の場合）のどちらかによって生成されたＩＦ　ＡＧＣ信号に応答して制御される。利得制御増幅器１５８の出力信号は、アナログビデオ／音声処理回路６０を含む後続のアナログ信号処理回路と、アナログ−デジタル変換器１７２、パワー検波器１７９、復調器１７４、等化器１７６、および誤り訂正デコーダ１７８を含む後続のデジタル信号処理回路１７０とに印加される。
【００１６】
アナログビデオ／音声処理回路６０は、ＮＴＳＣ、ＰＡＬ、およびＳＥＣＡＭテレビジョン信号などのアナログテレビジョン信号を復調し、ＲＦアナログテレビジョン信号の量（すなわち大きさ）に応答して、利得制御ＲＦ増幅器１２４および利得制御ＩＦ増幅器１５８をそれぞれ制御するＲＦ／ＩＦ　ＡＧＣ信号を生成する。アナログビデオ／音声処理回路６０は、アナログ−デジタル変換器を含み、そのようなＲＦ／ＩＦ　ＡＧＣ信号をデジタルデータとして表すパラメータ情報をマイクロプロセッサ５０に供給する。同様に、アナログビデオ／音声処理回路６０は、Ｉ２Ｃバスを介して、自動色制御（ＡＣＣ）信号および画像音声搬送波比（Ｐ／Ｓ）を表すデジタル形式のパラメータ情報をマイクロプロセッサ５０に供給する。自動色制御（ＡＣＣ）信号と画像音声搬送波比（Ｐ／Ｓ）はそれぞれ、アナログＲＦテレビジョン信号の画像品質の種々の特徴を示す。
【００１７】
デジタル信号処理回路１７０は、ＱＡＭ、ＱＰＳＫ、およびＨＤ　ＶＳＢ信号などのデジタルテレビジョン信号を処理する。アナログ−デジタル（Ａ／Ｄ）変換器は、復調器１７４およびパワー検波器１７９に対してデジタル化ＩＦ信号を供給するが、双方とも通常はデジタル復調器ＩＣ上に位置する。パワー検波器１７２は、ＲＦデジタルテレビジョン信号の量（すなわち大きさ）に応答して、利得制御ＲＦ増幅器１２４および利得制御ＩＦ増幅器１５８をそれぞれ制御するＲＦ／ＩＦ　ＡＧＣ信号を生成する。パワー検波器１７２は、Ｉ２Ｃバスを介して、そのようなＲＦ／ＩＦ　ＡＧＣ信号を表すパラメータ情報をマイクロプロセッサ５０に供給する。ＡＧＣレベルの決定は、まだ復調されていないデジタル化ＩＦ信号に基づいて実施される。
【００１８】
復調器１７４は、Ａ／Ｄ変換器１７２からのデジタル化ＩＦ信号を復調し、いわゆる「デジタルベースバンド信号（デジタル基礎帯域信号）」を供給する。復調器１７４はまた、ＳＮ比（Ｓ／Ｎ）を表すパラメータ情報も生成するが、このＳＮ比は、ＲＦデジタルテレビジョン信号の画像および音声の性状（ａｓｐｅｃｔ）のうち１つを示しており、およびＩ２Ｃバスを介してマイクロプロセッサ５０にそのような情報を供給する。
【００１９】
等化器１７６は、復調器１７４からデジタルベースバンド信号を受け取り、そのインパルス応答の補正を試みる。インパルス応答は、アンテナおよび同調器の入力回路が完全でないため伝送チャネルマルチパス効果によって劣化する可能性がある。等化器１７６はまた、ＲＦデジタルテレビジョン信号の品質の特徴のうち１つを示すフィルタタップを表すパラメータ情報も生成し、Ｉ２Ｃバスを介してそのような情報をマイクロプロセッサ５０に供給する。これらの等化器タップを監視することにより、上記の回路を選択し、アンテナおよび同調器の入力が完全でない結果発生する効果を減少させることができる。
【００２０】
等化器１７６の出力信号は、リードソロモン復号化手順によってデジタルベースバンド信号に対して誤り訂正を実施する誤り訂正デコーダ１７８に印加される。誤り訂正デコーダ１７８は、ＲＦデジタルテレビジョン信号の画像および音声の品質の特徴のうち１つを示すビットエラー率（ＢＥＲ）を表すパラメータ情報を生成し、Ｉ２Ｃバスを介してそのような情報をマイクロプロセッサ５０に供給する。
【００２１】
次いで、誤り訂正デコーダ１７８の出力信号は、後続の信号処理回路（図示せず）によって処理される。マイクロプロセッサ５０は、図３に開示される方式で、前述の種々のパラメータ情報に基づいて、ＰＬＬ　ＩＣ　３０およびデジタル−アナログ変換器（ＤＡＣ）ＩＣ　４０を介してブースト／減衰器回路１１０の動作を制御する。
【００２２】
図２は、アナログ／デジタルテレビジョン信号受信機に関連して、ブースト／減衰器回路２１０の別の実施形態を例示的に開示している。この実施形態では、減衰器スイッチ１１８を有する減衰器１１２は、今度はＲＦ入力２２とＵ／Ｖスプリッタ２０の間に配置され、Ｉ２Ｃバスを介してマイクロプロセッサ５０によって制御されるＰＬＬ　ＩＣ　３０によって生成された減衰器制御信号に応答して、ＶＨＦとＵＨＦテレビジョン信号とのいずれも減衰させることができる。ＵＨＦテレビジョン信号は、チューナブル単同調（ＳＴ）フィルタ１１４によってフィルタされ、次いで、図１に関連して上記で説明したのと同様に、ブースト制御信号に応答して低雑音増幅器１１６によって増幅される。Ｕ／Ｖスプリッタ２０によってＵＨＦテレビジョン信号から分離されたＶＨＦテレビジョン信号は、チューナブル単同調（ＳＴ）フィルタ１３２、ＲＦ増幅器１３４、チューナブル複同調（ＤＴ）フィルタ１３６、ミキサ１４４、ＶＨＦ局部発振器１４４、および複同調（ＤＴ）ＩＦフィルタ１５２を含むＶＨＦ同調器回路１３０に印加される。複同調（ＤＴ）ＩＦフィルタ１５２は、共用素子としてＶＨＦとＵＨＦの信号処理のどちらにも使用される。ＶＨＦ同調器回路１３０は、テレビジョンＶＨＦ信号をテレビジョンＩＦ信号に変換し、通常はテレビジョン信号受信機の同調器モジュール内に配置される。ＩＦ信号処理回路１５０、アナログビデオ／音声処理回路６０、デジタル信号処理回路１７０の機能は、図１に関連して上記で説明した機能と同じである。マイクロプロセッサ５０は、図４で開示する方式で、前述の種々のパラメータ情報に基づいて、ＰＬＬ　ＩＣ　３０およびデジタル−アナログ変換器（ＤＡＣ）ＩＣ　４０を介してブースト／減衰器回路１１０の動作を制御する。
【００２３】
次に図３を参照すると、フローチャート３００は、図１に示すブースト／減衰器回路１１０の動作方式を例示的に開示しているが、本明細書で開示される回路全体の種々の動作方式を補足し、または追加するものである。ステップ３０２では、テレビジョン同調器を特定のＵＨＦテレビジョンチャネルに同調する。ステップ３０４では、マイクロプロセッサ５０が、以前に格納されたＡＧＣパラメータデータをメモリ５５から取り出す。通常、ユーザがテレビジョン信号受信機を最初にセットアップしたとき、ＶＨＦ／ＵＨＦテレビジョン帯全体にわたる個々の受信可能チャネルに対するＡＧＣレベルの決定が実施され、そのような個々のＡＧＣ情報はメモリ内に格納され、いわゆる「メモリスキャンリスト」を形成することができる。
【００２４】
ステップ３０６では、マイクロプロセッサ５０は、同調したチャネルに対する、格納されたＡＧＣレベルと所定のしきい値とを比較する。現ＡＧＣレベルがしきい値よりも低くない場合、ステップ３１４で示すように、ブースト／減衰回路１１０はバイパスされる。しかし、レベルがしきい値より低い場合、ステップ３０８で、マイクロプロセッサ５０は、隣接するチャネル信号のＡＧＣレベルをメモリ５５から獲得する。ステップ３１０では、隣接するチャネルＡＧＣレベルのうち１つが所定のレベルよりも強い場合、ブースト／減衰器回路１１０はバイパスされる。そうでない場合、ステップ３１２で、低雑音増幅器１１６は動作可能にされ、および適用される。
【００２５】
ステップ３１６では、ＥＱタップ、ＢＥＲ、ＳＮＲ、ＡＣＣ、およびＰ／Ｓなどの、同調したＵＨＦテレビジョン信号によって搬送される情報の品質を示す種々のパラメータを、上記で説明したように測定する。そのようなパラメータをみて信号品質が許容されないと判断される場合、ステップ３１８に示すように減衰器１１２は動作可能にされ、および適用される。そのようなパラメータをみて信号品質が許容されると判断される場合、ステップ３２６で示すようにテレビジョン信号受信機は、ステップ３２８に示すように、このチャネルをメモリ５５内に格納することができるため、同調した信号と、測定するパラメータデータおよびブースト／減衰器回路１１０の現在の動作モード（すなわち低雑音増幅器１１６を動作可能とするかどうか）を含むチャネルデータとを引き続き受信する。
【００２６】
ステップ３２０では、前述の種々のパラメータを再び測定し、減衰器１１２の効果を判定する。測定したパラメータをみて、画像および／または音声の品質が改善されたと判断される場合、ステップ３２４で示すように、減衰器１１２は引き続き動作可能とされ、および適用される。しかし、パラメータにより減衰器１１２の適用により画像および／または音声の品質が改善されないと判断される場合、ステップ３２２に示すように、メッセージ「チャネル受信不能」を画面上に表示し、そのような情報をメモリ５０上に格納する。
【００２７】
次に図４を参照すると、フローチャート４００は、図２に示すブースト／減衰器回路２１０の動作方式を例示として開示するが、これは本明細書で開示される回路全体の種々の動作方式に対し補足し、または追加するものである。ステップ４０２では、テレビジョン同調器を特定のＶＨＦまたはＵＨＦのテレビジョンチャネルに同調させる。ＶＨＦチャネルに同調すると、同調するＶＨＦテレビジョン信号によって搬送される情報の品質を示す種々のパラメータを測定する。より具体的には、これらのパラメータは、ブースト／減衰器回路２１０の２つの異なる動作モードの下で測定される。「標準（ノーマル）」モードの下では、ステップ４１２で示すように、減衰器１１８がバイパスされ、その結果ＶＨＦテレビジョン信号は、Ｕ／Ｖスプリッタ２０を介してチューナブル単同調（ＳＴ）フィルタ１３２に直接印加される。「減衰器選択」モードの下では、ステップ４１６で示すように、減衰器１１８が動作可能にされ、ＶＨＦテレビジョン信号が印加される。ステップ４１４および４１８で示すように、それぞれの動作モードの下で測定されたパラメータデータは、メモリ５５上に格納される。
【００２８】
種々のパラメータ情報を測定した後、ステップ４２２で、ＡＧＣ信号を評価することによってＶＨＦテレビジョン信号の大きさを判定する。ＶＨＦテレビジョン信号が非常に弱く、適切な受信には適していない可能性がある場合、ステップ４２６に示すように、減衰器１１８は使用不能にされ、バイパスされる。
【００２９】
ステップ４２０では、前述の種々の動作モードの下での測定結果を比較し、より良好な画像および／または音声の状態を提供するモードを引き続き使用する。すなわち、減衰器１１８への適用により、より良好な画像および／または音声の条件が提供される場合、ステップ４２４に示すように、減衰器１１８は動作可能にされ、同調したチャネルの受信のために適用される。そうでない場合、ステップ４２６に示すように、減衰器４２４はバイパスされる。ステップ４２８では、この特定のテレビジョンチャネルに関する、選択した動作モード（すなわち減衰器１１６の使用または不使用）を表す情報を、このチャネルに将来アクセスするときのためにメモリ５５上に格納する。
【００３０】
ＵＨＦチャネルに同調するとき、ブースト／減衰器回路２１０の４つの異なる動作モードの下で、同調したＵＨＦテレビジョンチャネルによって搬送される情報の品質を示す種々のパラメータを測定する。ステップ４７２で示すように、「標準」モードの下では、減衰器１１８および低雑音増幅器１１６が共にバイパスされ、その結果、Ｕ／Ｖスプリッタ２０を介してＵＨＦテレビジョン信号がチューナブル単同調（ＳＴ）フィルタ１２２に直接印加される。ステップ４７６に示すように、「減衰器選択」モードの下では、減衰器１１８が動作可能にされ、ＵＨＦテレビジョン信号を印加されるが、低雑音増幅器１１６はバイパスされる。ステップ４８０に示すように、「選択ブースト」モードの下では、低雑音増幅器１１６は動作可能にされ、ＵＨＦテレビジョン信号を印加されるが、減衰器１１８はバイパスされる。「選択減衰器＋ブースト」モードの下では、減衰器１１８および低雑音増幅器１１６は共に動作可能にされ、ＵＨＦテレビジョン信号を印加される。ステップ４７４、４７８、４８２、および４８６に示すように、それぞれの動作モードの下で測定したパラメータデータをメモリ５５上に格納する。
【００３１】
ステップ４８８では、４つの動作モードの下でのすべての測定結果を比較し、ステップ４９０に示すように、より良好な画像および／または音声の状態を提供するモードを引き続き使用する。ステップ４９２では、この特定のＵＨＦテレビジョンチャネルに関する、選択した最良のブースト／減衰器回路２１０の操作（ｏｐｅｒａｔｉｏｎ）を示す情報（すなわち、減衰器１１８と低雑音増幅器の一方または両方を動作可能にするかどうか）を、このチャネルに将来アクセスするときのためにメモリ５５上に格納する。
【００３２】
好適な設計をもって本発明を説明したが、本発明は、この開示の精神および範囲内でさらに変更することができる。したがって本願は、本発明の一般的原理を用いる、本発明のいかなる変形、使用、適合の態様も包含するものとする。さらに、本願は、本発明に関係し、およびこの開示からなされた態様は、特許請求の範囲の制限内に包含される、当技術分野で周知または慣例の習慣の範囲内にある限り包含されるように意図されたものである。
【００３３】
例えば、アナログ／デジタル放送無線受信機用にブースト／減衰回路１１０とその制御方法を使用することができ、ブースト／減衰回路１１０を、アンテナと、テレビジョン同調器モジュールのフロントエンド回路のＲＦ入力点の間に配置することができる。すなわち、ブースト／減衰回路１１０は、テレビジョン信号受信機セット内に実装することができ、テレビジョン信号受信機セット外部の別々のモジュール内に配置することができ、またはアンテナアセンブリ内に実装することができる。
【００３４】
本明細書で使用した用語「テレビジョン信号受信機」は、ディスプレイを備え、または備えないどんなテレビジョン信号受信機も含む。例えば、用語「テレビジョン信号受信機」には、限定はしないが、ビデオカセットレコーダ（ＶＣＲ）、ＤＶＤプレーヤ、およびセットトップボックスが含まれる。
【図面の簡単な説明】
【図１】
本発明の原理による信号処理装置の第１の実施形態を例示として含むアナログ／デジタルテレビジョン信号受信機の一部を示すブロック図である。
【図２】
本発明の原理による信号処理装置の第２の実施形態を例示として含むアナログ／デジタルテレビジョン信号受信機の一部を示すブロック図である。
【図３】
本発明の原理による、図１に示す第１実施形態のオペレーション方法を例示的に記述するフローチャートである。
【図４】
本発明の原理による、図２に示す第２実施形態のオペレーション方法を例示的に記述するフローチャートである。
【図１】
2004510379.tif 000003
【図２】
2004510379.tif 000004
【図３】
2004510379.tif 000005
【図４】
2004510379.tif 000006
【国際公開パンフレット】
2004510379.tif 000007
2004510379.tif 000008
2004510379.tif 000009
2004510379.tif 000010
2004510379.tif 000011
2004510379.tif 000012
2004510379.tif 000013
2004510379.tif 000014
2004510379.tif 000015
2004510379.tif 000016
2004510379.tif 000017
2004510379.tif 000018
2004510379.tif 000019
2004510379.tif 000020
2004510379.tif 000021
2004510379.tif 000022
2004510379.tif 000023
2004510379.tif 000024
2004510379.tif 000025
2004510379.tif 000026
2004510379.tif 000027
2004510379.tif 000028
2004510379.tif 000029
【国際公開パンフレット（コレクトバージョン）】
2004510379.tif 000030
2004510379.tif 000031
【国際調査報告】
2004510379.tif 000032
2004510379.tif 000033